(57)【要約】  ブランケットが、少なくとも１つの軸方向で凸状の面を有するキャリヤスリーブ層と、キャリヤスリーブ層上に配置された印刷層とを有している。凸状の外面と凸状のシムとを備えたブランケット胴も提供される。オフセット印刷機も提供される。
2009513382.tif 000002
【特許請求の範囲】
【請求項１】
少なくとも１つの軸方向で凸状の面を有するキャリヤスリーブ層と、
該キャリヤスリーブ層上に配置された印刷層とが設けられていることを特徴とする、ブランケット。
【請求項２】
キャリヤスリーブ層が、軸方向端部よりも軸方向中央において厚くなっている、請求項１記載のブランケット。
【請求項３】
キャリヤスリーブ層の厚さが均一である、請求項１記載のブランケット。
【請求項４】
印刷層の厚さが均一である、請求項１記載のブランケット。
【請求項５】
印刷層がギャップレスで管状である、請求項１記載のブランケット。
【請求項６】
ブランケットが圧力なしにブランケット胴に配置されたときに印刷層の外面が凸状の軸方向プロフィルを有する、請求項１記載のブランケット。
【請求項７】
ブランケットが、ブランケットの幅に亘って均一な軸方向印刷圧力若しくはニップ圧を提供する、請求項１記載のブランケット。
【請求項８】
キャリヤスリーブ層と印刷層との間に圧縮可能な層が配置されている、請求項１記載のブランケット。
【請求項９】
圧縮可能な層の上側でかつ印刷層の下側に伸長不可能な層が配置されている、請求項８記載のブランケット。
【請求項１０】
ブランケットが少なくとも２つの軸方向像領域を有している、請求項１記載のブランケット。
【請求項１１】
ブランケットが少なくとも３つの軸方向像領域を有している、請求項１０記載のブランケット。
【請求項１２】
像胴と、ブランケット胴と、ブランケットとが設けられており、該ブランケットが、少なくとも１つの軸方向に凸状の面を有するキャリヤスリーブ層と、該キャリヤスリーブ層上に配置された印刷層とを有していることを特徴とする、オフセット印刷機。
【請求項１３】
印刷機が平版ウェブ印刷機である、請求項１２記載のオフセット印刷機。
【請求項１４】
像胴が少なくとも２つの軸方向像領域を有している、請求項１２記載のオフセット印刷機。
【請求項１５】
像胴と、軸方向で凸状の外面を有するブランケット胴と、軸方向で凸状の外面上に配置されたブランケットとが設けられていることを特徴とする、オフセット印刷機。
【請求項１６】
印刷機が平版ウェブ印刷機である、請求項１５記載のオフセット印刷機。
【請求項１７】
像胴が少なくとも２つの軸方向像領域を有している、請求項１２記載のオフセット印刷機。
【請求項１８】
ブランケット胴とブランケットとの間に配置するための、軸方向に成形されたシムにおいて、軸方向で凸状の外面を有するシム本体が設けられていることを特徴とする、シム。
【請求項１９】
凸状の外面を有する胴本体が設けられていることを特徴とする、ブランケット胴。
【発明の詳細な説明】
【技術分野】
【０００１】
本発明は概してオフセット印刷、より具体的にはオフセット印刷機のためのブランケットに関する。
【０００２】
引用により本明細書に記載されたものとする米国特許第６２８３０２７号明細書及び米国特許第６１０５４９８号明細書は、凹面状及び凸面状プロフィルを備えたブランケットを含む、可変プロフィルブランケットを開示している。凹面状ブランケット胴も開示されている。
【０００３】
米国特許第５５２２３１５号明細書及び米国特許第５８６３３６７号明細書は、ウェブを拡大させかつ内部しわ寄り（inward wrinkling）を阻止するために凸面状の圧縮可能な層を備えたブランケットを開示している。ブランケットのためのキャリヤ層は平坦である。
【０００４】
発明の概要
本発明の目的は、内部しわ寄りを回避しながら、ブランケット胴の中央においてしばしば見られる低い印刷圧力を補償することである。
【０００５】
本発明は、ブランケット胴に配置された場合に少なくとも１つの軸方向で凸状の面を有するキャリヤスリーブと、キャリヤスリーブ層上に配置された印刷層とを備えるブランケットを提供する。
【０００６】
凸面を備えた内側の凸面状キャリヤスリーブを有することにより、ブランケット胴の軸方向中央における印刷圧力を増大させることができる。
【０００７】
キャリヤスリーブ層の凸状は、例えば、均一な内径と凸状の外径とを有するキャリヤスリーブ層を有することによって提供されることができる。したがって、キャリヤスリーブ層自体は、両端部よりも軸方向中央において厚くなっている。
【０００８】
択一的に、キャリヤスリーブの厚さは均一であることができ、ブランケット胴又はシムが表面凸状を提供することができる。
【０００９】
印刷層の厚さは均一又は可変であってよい。最も好適には、ブランケットがブランケット胴に配置された場合に印刷層の外面が凸状の軸方向プロフィルを有するが、これは必要であるわけではない。
【００１０】
したがって、ブランケット胴に配置された場合にブランケットは好適にはブランケットの幅に亘って均一な軸方向印刷圧力又はニップ圧を提供する。
【００１１】
好適には、圧縮可能な層がキャリヤスリーブ層と印刷層との間に配置されている。圧縮可能な層の厚さは均一又は可変であってよい。
【００１２】
好適には、ブランケットはギャップレス管状ブランケットである。
【００１３】
例えば、巻かれた繊維又は織物から形成された、延伸不可能な層が、圧縮可能な層の上でかつ印刷層の下側に提供されることができる。
【００１４】
また、像胴と、軸方向で凸状の外面を有するブランケット胴と、軸方向で凸状の外面上に配置されたブランケットとを備えるオフセット印刷ユニットも本発明によって提供される。
【００１５】
さらに、ブランケット胴とブランケットとの間に配置するための、軸方向で成形されたシムも提供され、このシムは軸方向で凸状の外面を有している。好適には、内面は均一な直径を有する。シムは好適には管状であり、ギャップレスである。
【００１６】
ブランケット胴及びブランケットは、広い軸方向範囲を備えた細いブランケット胴のために最も有利である。なぜならば、ブランケット胴及びブランケットは最も曲がりやすいからである。したがって、ブランケットは、軸方向に少なくとも２つの像を支持しており、周方向で１つの像だけが支持されながら軸方向少なくとも３つの像を支持することができる。軸方向で４つの像が最も有利である。
【００１７】
図面の簡単な説明
以下の図面に関して本発明をさらに説明する：
図１ａ及び１ｂは、凸面を備えた均一なキャリヤスリーブ層を有するブランケットを備えた、凸状ブランケット胴の実施形態を概略的に示しており；
図２ａ，２ｂ，２ｃ，２ｄ，２ｆ，２ｇは、凸状キャリヤスリーブ層を備えたブランケットの実施形態を概略的に示しており；
図３ａ及び３ｂは、本発明のブランケット胴、シム、及びブランケットの組み合わせの実施形態を概略的に示しており；
図４ａ及び４ｂは、図２ａおよび２ｅの実施形態のためのブランケット対ブランケットニップを概略的に示している。
【００１８】
詳細な説明
図１Ａは、凸状の外面１１を有するブランケット胴１０を概略的に示している。ブランケット胴１０は、金属、例えばフライス加工された鉄鋼、から形成されることができる。外面１１の曲率は、分かりやすくするために図面では誇張されている。ブランケットがギャップレスで管状であるならばブランケットは例えば軸方向にスライドさせることによってブランケット胴１０に被せ嵌められ、ブランケット胴１０には、この目的のために加圧空気を提供するための空気穴が設けられている。
【００１９】
ブランケット２０はキャリヤスリーブ層２２を含み、このキャリヤスリーブ層は、例えば、ドイツのアハウスーオッテンシュタインのRotec GmbH & Co.KGから商業的に利用可能なガラス繊維スリーブから形成されることができる。キャリヤスリーブ層２２は好適には、ブランケット胴１０上でブランケット２０を軸方向で配置するために管形状を維持するために十分に中実及び剛性であるが、ブランケット２０をブランケット胴１０に嵌めるために必要な膨張を提供するために十分にフレキシブルである。
【００２０】
従って、キャリヤスリーブ層２２は、ブランケット胴１０上に配置された場合に凸状の外面２３を有する。ブランケット２０の軸方向端部におけるよりも、軸方向中央区分においてより広い圧縮可能な層２４が、外面２３上に配置されることもできる。圧縮可能な層２４は、例えば、圧縮性を提供するために気泡又は微小球を備えたゴムであることができる。
【００２１】
伸長不可能な層２５、例えば糸又は布の層が、圧縮可能な層２４の上に配置されている。伸長不可能な層２５は、圧縮可能な層２４の形状を維持するのを助ける。
【００２２】
印刷層２６は、外側層を形成しており、例えば中実のゴムから形成されている。図１Ａの実施形態において、ブランケット２０がブランケット胴１０に配置されかつブランケット２０に圧力が提供されていない場合に外側印刷面２７が完全に円筒状であるように、印刷層２６は形成されている。
【００２３】
印刷面２７は、像胴５、例えば版胴、によってインキ着けされる。像胴５は、例えば軸方向で４つの像領域５Ａ，５Ｂ，５Ｃ，５Ｄを有しており、各像領域は、像胴５の円周をカバーしている、いわゆる一周構造である。しかしながら、像胴５は周方向に間隔を置かれた２つ（又は３つ以上）の像を有することもでき、いわゆる２周（又は３周以上）構造である。
【００２４】
好適には、軸方向の像の数は周方向の像の数の少なくとも２倍であり、周方向の像の数の３倍、４倍又は５倍以上であることができる。なぜならば、本発明は、直径が小さく、幅の大きなブランケットに関して最も有利であるからである。
【００２５】
図１Ｂは択一的なブランケットを示しており、このブランケットにおいて、圧縮可能な層３４は均一な厚さを有しており、印刷層３６は凹状の外側印刷面を有している。
【００２６】
図２Ａは、直線的な外面の円筒状のブランケット胴１１０におけるブランケット１２０の択一的な実施形態を示している。ブランケット１２０に圧力が提供されていない場合、ブランケット１２０は、外側の凸面１２３と直線的な内面１２１とを備えたキャリヤスリーブ層１２２を有している。圧縮可能な層１２４は、軸方向端部におけるよりもブランケット１２０の中央においてより厚くなっている。ブランケット１２０がブランケット胴１１０上に配置されかつブランケット１２０に圧力が提供されていないときに外側印刷面が完全に円筒状であるように、印刷層１２６は形成されている。
【００２７】
図２Ｂは、図２Ａと同様のキャリヤスリーブ層１２２を備えた択一的な実施形態を示しており、この場合、ブランケットに圧力が提供されていない時には、圧縮可能な層１３４が均一な厚さを有しており、印刷層１３６は凹状の外側印刷面を有している。
【００２８】
図２Ｃは択一的な実施形態を示しており、この場合、ブランケットに圧力が提供されていない時には、圧縮可能な層１３４は均一な厚さを有しており、印刷層１４６は直線的な外側印刷面を有している。
【００２９】
図２Ｄは択一的な実施形態を示しており、この場合、ブランケットに圧力が提供されていないときに凸状の外側印刷面が生じるように、圧縮可能な層１２４は軸方向中央においてより大きな厚さを有しており、印刷層１５６は均一な厚さを有している。
【００３０】
図２Ｅは択一的な実施形態を示しており、この場合、ブランケットに圧力が提供されていない時に凸状の外側印刷面が生じるように、圧縮可能な層１３４は均一な厚さを有しており、印刷層１６６は均一な厚さを有している。
【００３１】
図２Ｆは択一的な実施形態を示しており、この場合、圧縮可能な層１３４は均一な厚さを有しており、印刷層１７６はより厚い軸方向端部を有しているが、ブランケットに圧力が提供されていないときには凸状の外側印刷面が依然として生じている。
【００３２】
図２Ｇは択一的な実施形態を示しており、この場合、圧縮可能な層１４４は、印刷層１８６と同様により厚い軸方向端部を有しており、これにより、ブランケットに圧力が提供されていない時には直線的な外側印刷面が生じている。
【００３３】
図３Ａは、ブランケット胴１１０が直線的な外面を有することを除いて、図１Ａの実施形態と同様の実施形態を示している。例えばＭＹＬＡＲシートから形成されたシム１５０が設けられており、このシムは、胴１１０に接着されるか又はキャリヤスリーブ内に嵌る挿入可能な再利用可能な管である。
【００３４】
図３Ｂは、ブランケット胴１１０が直線的な外面を有することを除いて、図１Ｂの実施形態と同様の実施形態を示している。凸状を提供するために、図３Ａのシムと同様のシム１５０を使用することができる。
【００３５】
図４Ａは、ブランケット胴１１０及び２１０の曲がりを単純化された概略図で示しており、各ブランケット胴１１０，２１０は図２Ａの実施形態と同様のブランケットを有している。図示のように、内面１２１は凸状になり、内面１２１及び層１２２の凸状は、紙又はその他の印刷基板１００における軸方向中央における低い印刷圧力を補償することができる。
【００３６】
図４Ｂは、図２Ｅの実施形態と同様のブランケットを備えたブランケット胴１１０，２１０の単純化された概略図を示している。
【００３７】
本発明はウェブを印刷するために特に有利であり、印刷機は好適には平版ウェブ印刷機である。
【００３８】
ここで定義されたブランケット胴は、シムとブランケット胴本体との組み合わせを含むことができ、ここで規定されたブランケットは、ブランケット本体とシムとの組み合わせを含むことができる。
【図面の簡単な説明】
【００３９】
【図１】図１ａ及び１ｂは、凸面を備えた均一なキャリヤスリーブ層を有するブランケットを備えた、凸状ブランケット胴の実施形態を概略的に示している。
【図２】図２ａ，２ｂ，２ｃ，２ｄ，２ｆ，２ｇは、凸状キャリヤスリーブ層を備えたブランケットの実施形態を概略的に示している。
【図３】図３ａ及び３ｂは、本発明のブランケット胴、シム、及びブランケットの組み合わせの実施形態を概略的に示している。
【図４】図４ａ及び４ｂは、図２ａおよび２ｅの実施形態のためのブランケット対ブランケットニップを概略的に示している。
【符号の説明】
【００４０】
５  像胴、  ５Ａ，５Ｂ，５Ｃ，５Ｄ  像領域、  １０  ブランケット胴、  １１  ブランケット胴凹面、  ２０  ブランケット、  ２２  キャリヤスリーブ層、  ２３  キャリヤスリーブ外面、  ２４  圧縮可能な層、  ２５  身長不可能な層、  ２６  印刷層、  ２７  印刷面、  ３４  圧縮可能な層、  ３６  印刷層、  １００  紙、  １１０  ブランケット胴、  １２１  スリー武装内面、  １２２  キャリヤスリーブ層、  １２３  スリー武装外面、  １２４  圧縮可能な層、  １２６  印刷層、  １３４  圧縮可能な層、  １３６  印刷層、  １４４  圧縮可能な層、  １４６  印刷層、  １５０  シム、  １５６，１６６，１７６，１８６  印刷層、  ２１０  ブランケット胴
2009513382.tif 000003
2009513382.tif 000004
2009513382.tif 000005
2009513382.tif 000006
2009513382.tif 000007
2009513382.tif 000008
【国際調査報告】
2009513382.tif 000009
2009513382.tif 000010
2009513382.tif 000011